(57)【要約】【課題】  布団を収容して内部のエアーを抜くことで圧縮することが出来る布団圧縮袋であって、長期間にわたってエアーも絵を発生しない吸気弁を備えた布団圧縮袋の提供。【解決手段】  一辺６には開口可能なシール７，８を設け、上シート３には掃除機のホースを接続してエアーを吸い込むことが出来る吸気弁を取付け、該吸気弁は上シート３に取付けられた弁本体１７と該弁本体１７を被覆する弁蓋１８から成り、弁本体１７の中央部にはエアー流通穴１１を設けると共に該エアー流通穴１１の上縁１４に樹脂製シート又はゴムシートで構成される弁１０を載置し、弁蓋１８の弁押え１３にて弁中央部を押圧して皿状に湾曲し、そしてエアーを吸込む際には更に湾曲して上縁１４との間に形成される隙間１５をエアーが流れるようにしている。【選択図】    図５
2006273370.tif 000002
【特許請求の範囲】
【請求項１】
布団を収容して内部のエアーを抜くことで圧縮することが出来る布団圧縮袋において、一辺には開口可能なシールを設け、上シートには掃除機のホースを接続してエアーを吸い込むことが出来る吸気弁を取付け、該吸気弁は上シートに取付けられた弁本体と該弁本体を被覆する弁蓋から成り、弁本体の中央部にはエアー流通穴を設けると共に該エアー流通穴の上縁に樹脂製シート又はゴムシートで構成される弁を載置し、弁蓋の弁押えにて弁中央部を押圧して皿状に湾曲し、そしてエアーを吸込む際には更に湾曲して上縁との間に形成される隙間をエアーが流れるようにしたことを特徴とする布団圧縮袋。
【請求項２】
布団を収容して内部のエアーを抜くことで圧縮することが出来る布団圧縮袋において、一辺には開口可能なシールを設け、上シートには掃除機のホースを接続してエアーを吸い込むことが出来る吸気弁を取付け、該吸気弁は上シートに取付けられた弁本体と該弁本体を被覆する弁蓋から成り、弁本体の中央部にはエアー流通穴を設けると共に該エアー流通穴の上縁に樹脂製シート又はゴムシートで構成される弁を載置し、又、弁中央に連結した紐で引っ張ることで皿状に湾曲し、そしてエアーを吸込む際には更に湾曲して上縁との間に形成される隙間をエアーが流れるようにしたことを特徴とする布団圧縮袋。
【請求項３】
上記弁本体の下方には複数の脚を延ばした請求項１、又は請求項２記載の布団圧縮袋。
【発明の詳細な説明】
【技術分野】
【０００１】
本発明は布団を収容した状態で袋内部のエアーを吸引して圧縮するもので、エアー漏れを長期間にわたって防止することが出来る布団圧縮袋に関するものである。
【背景技術】
【０００２】
布団はその体積が大きく、都会のマンションなどでは押入れなどに収納する際に問題となる。そこで、近年ではビニール袋に布団を収容して空気を吸引するならば、布団は圧縮されてその体積は小さくなり、押入れへの収納も可能と成る。特に、冬用の布団は多くの綿を入れた厚いもので、夏の間の収納には該圧縮袋は便利である。
【０００３】
圧縮袋はその一辺が密閉されると共に開口できる構造とし、中央部には吸込み口が設けられている。該吸込み口に掃除機のホースを当てて吸引するならば、袋内の空気は吸われ、吸引が終わったところで吸込み口が閉じるように弁が取付けられている。しかし、該弁は手動で閉じなくてはならず、その為に手間がかかって面倒であるだけでなく、閉じるまでの間にエアー漏れが発生し、完全に閉じられなくて僅かなエアー漏れを生じることもある。その結果、圧縮した袋にエアーが侵入して時間と共に布団が膨らんでしまう。時には、弁を閉じ忘れる時もある。
【０００４】
特開２００４−３３８７８４号に係る「収納袋の排気弁」は、収納袋内と連通する排気孔を設けている弁本体に吸気用孔を設けている蓋体を装着し、この蓋体の上面をドーム形状に形成して該蓋体上に当てがう吸気ノズルを弁本体に対して垂直状態のみならず傾斜させた状態にしてもその吸気口を吸気用孔に連通させた状態にして脱気作用を行わせることが出来、さらに、蓋体の下面と上記排気孔を開閉する弁板の上面とに互いに係脱するカム突起とストッパ片とからなるロック機構を設けて収納袋内の脱気後に弁板を排気孔に圧着させた状態に保持する。
【０００５】
すなわち、収納袋内が脱気されて布団などの収納物が圧縮状態に成ると、蓋体に対する電気掃除機の吸気ノズルの押付けが解かれる。そうすると、収納袋内が真空状態であるから、この収納袋側に発生する吸気力によって弁板が下動して排気口を自動的に閉止し、収納袋内に外気が入ることを阻止する。そしてその後、蓋体を弁板回りに一方向に回動させると、蓋体の下面側に設けているロック機構が作動して弁板が直接下方に押圧され、排気孔を密閉した状態に保持することが出来る。
【０００６】
すなわち、ロック機構を作動するには手動にて蓋体を弁板回りに回動することが必要である。一方、この排気弁の構造は複雑である為にその製作はコスト高と成る。又、特開２００５−３５５６２号に係る「弁機構」は、吸引装置のノズルの径を意識することなく使用することが出来、外面で積層されたり密閉袋を損傷することがなく、又、積層されたり隣接させた荷姿が平坦で安定した状態とするものである。
【０００７】
そこで、孔が形成された密閉袋の外面側に取付けられ、その中央部に通気口が形成された吸引接続部を平坦面とし、密閉袋の内面側に取付けられる弁基材を断面窪状としている。従って、吸引接続部の通気口を覆うようにノズルを当接させるだけでよいからノズル径を意識することなく使用でき、また、密閉袋の外面に突出する部分がなくなるので外面で積層させたり隣接する他の密閉袋を損傷することがない。しかし、この弁機構は本発明の目的とは異なっているのみならず、該弁の閉鎖は手動で行う必要がある。
【特許文献１】特開２００４−３３８７８４号に係る「収納袋の排気弁」
【特許文献２】特開２００５−３５５６２号に係る「弁機構」
【発明の開示】
【発明が解決しようとする課題】
【０００８】
このように、従来の布団圧縮袋には上記のごとき問題がある。本発明が解決しようとする課題はこの問題点であり、極めて簡単な弁構造によってエアーを吸込むと共に、吸込み停止と同時に手動操作を要しないで弁が瞬時に自動閉鎖されてエアー漏れを発生しない布団圧縮袋を提供する。
【課題を解決するための手段】
【０００９】
本発明に係る布団圧縮袋は、布団を収容するビニール袋と吸気弁を備えたもので、一辺は開口可能な形態と成っており、閉じた状態ではエアーが漏れないようにシールされる。そして、上記吸気弁は袋の中央部に取付けられ、該吸気弁にホースの先端を当てがって掃除機で吸込むことが出来る。ただし、布団圧縮袋としてのこの基本構造は従来と同じである。
【００１０】
上記吸気弁はエアーを吸込む際には自動的に開口し、吸込みを停止すると同時に自動的に閉鎖するように機能する。すなわち、手で弁を閉じる操作は必要ない。吸気弁は弁本体を弁蓋とから成り、弁本体は圧縮袋のシートに固着されており、中央にはエアー流通穴が設けられ、該エアー流通穴の上端にはゴムシートや樹脂製シートからなる弁が載置されている。
【００１１】
弁蓋は上記弁本体に取付けられるが、弁蓋は単に弁本体を被覆するのみならず、中央には弁押えを下方へ延ばし、該弁押えは弁の中央を押圧する。従って、弁は周辺部がエアー流通穴の外周縁に載置された状態で皿状に湾曲する。又、弁蓋に該弁押えを設けない場合には、弁中心に紐などを連結して下方へ引っ張ることで皿状に湾曲して載置することも出来る。
【発明の効果】
【００１２】
本発明の布団圧縮袋の吸気弁は弁本体のエアー流通穴の上端にゴムシートや樹脂製シートから成る弁を載置し、弁蓋にて弁の中央部を押えることで皿状に湾曲した状態としている。従って、弁蓋にホースを接続してエアーを吸気する際には、弁はさらに湾曲してエアー流通穴の上縁との間に隙間が出来てエアーを吸込むことが出来る。そして、エアーの吸込みを停止すると同時に弁は元に戻ってエアー流通穴の上縁との隙間を閉じる為にエアー漏れは無くなる。
【００１３】
弁中心を下方へ引いて皿状に配置している場合も同じく、エアーを吸込む際には弁はさらに湾曲してエアー流通穴の上縁との間に隙間が形成されてエアーが流れ、吸気を停止すると同時に弁形状が復元して閉鎖される。このように、本発明の布団圧縮袋に取付ける吸気弁はその構造が簡単であり、しかしエアー漏れの発生は殆どなく、しかも吸気すると同時に弁が開口し、吸気を停止すると同時に弁が瞬時に閉じることが出来るために特別な手動操作は必要ない。
【実施例】
【００１４】
図１は布団圧縮袋の外観を示す実施例である。同図の１はビニール袋、２は吸気弁を表している。ビニール袋１は長方形の上シート３と下シート４から成り、その３辺５ａ，５ｂ，５ｃは上下シート３，４が密着され、他の辺６は布団を出し入れする為に開口可能と成っている。そして、上記吸気弁２は上シート３のほぼ中央部に取付けられ、該吸気弁２を通してビニール袋内のエアーを吸込むことが出来る。
【００１５】
辺６は開閉可能なようにシール構造を有しており、図１のＡ−Ａ断面拡大図を図２に示している。上シート３には辺６に沿って２本の凹シール７ａ，７ｂが一定間隔をおいて沿設され、又下シート４には辺６に沿って２本の凸シール８ａ，８ｂが一定間隔をおいて沿設されている。凸シール８ａ，８ｂは凹シール７ａ，７ｂの凹溝９ａ，９ｂに嵌合して互いに噛合い、辺６側に設けた開口を閉鎖することが出来、エアーの漏れを防止する。
【００１６】
上記布団圧縮袋としての基本形態は従来のものと共通しているが、本発明の特徴は吸気弁２にある。該吸気弁はその弁構造が簡単であると共にエアー漏れを発生しない構造と成っている。図３は該吸気弁２の概略図であり、同図の１０は弁、１１はエアー流通穴、１２は弁１０が載置される筒、１３は弁押えを表している。弁１０の材質が限定しないが、湾曲自在で伸縮可能なものが適している為に、樹脂製シート、特にゴムシートが最適である。
【００１７】
このゴムシートから成る円形の弁１０は筒１２の上縁１４に載置され、上縁１４は概略三角形断面を形成して弁１０との接触面積を小さくすることで接触面圧を高めている。弁１０は上縁１４に単に載置されるだけでなく、上方から弁押さえ１３が中央部を押圧することで該弁１０は皿状に湾曲している。従って、弁１０の外周は上縁１４に所定の面圧が負荷した状態で接し、弁押え側からのエアーの侵入が防止される。
【００１８】
上記筒１２は弁本体側に設けられ、弁押え１３は弁蓋側に設けられている。そこで、弁蓋側に掃除機のホースを接続してエアーを吸気するならば、(ｂ)に示すように該弁１０はさらに湾曲して筒１２の上縁１４との間に隙間１５が形成される。すなわち、エアーを吸うことで弁蓋側の気圧が低下する為に、弁１０は湾曲して隙間１５からエアーが流れ、袋内部の空気が吸い取られる。
【００１９】
そして、エアーの吸気を停止するならば、弁１０は元の形状に復帰して上縁１４に密着し、蓋側からのエアーの侵入を防止する。弁１０は上縁１４と常時密着して僅かな隙間も生じないことが必要であり、その為には単に湾曲するシートではなく、伸縮性もあるシートであることが重要となる。すなわち、図３(ａ)に示すように常時皿状に湾曲している為に、この湾曲に際してシワが発生しないように伸縮しなくてはならない。
【００２０】
図３は弁１０を皿状に湾曲した状態で筒１２の上縁１４に載置する為に、弁蓋に設けた弁押え１３が使用されているが、図４に示す実施例では弁１０の中心を下方へ引っ張っている構造としている。(ａ)に示す状態は弁１０が閉じている場合で、(ｂ)はエアーを吸気している場合である。
【００２１】
前記図３に示した場合と同じく、弁１０は筒１２の上縁１４に載置され、上縁１４は概略三角形断面を形成して弁１０との接触面積を小さくすることで接触面圧を高めている。そして、弁１０は上縁１４に単に載置されるだけでなく、下方から紐１６で引っ張られて皿状に湾曲している。従って、弁１０の外周は上縁１４に所定の面圧が負荷した状態で接し、弁押え側からのエアーの侵入が防止される。
【００２２】
上記筒１２は弁本体側に設けられ、紐１６も弁本体側に設けられている。そこで、弁蓋側に掃除機のホースを接続してエアーを吸気するならば、(ｂ)に示すように該弁１０はさらに湾曲して筒１２の上縁１４との間に隙間１５が形成される。すなわち、エアーを吸うことで弁蓋側の気圧が低下する為に、弁１０は湾曲して隙間１５からエアーが流れ、袋内部の空気が吸い取られる。そして、エアーの吸気を停止するならば、弁１０は(ａ)に示すように元の形状に復帰して上縁１４に密着し、蓋側からエアーの侵入を防止する。
【００２３】
図５は吸気弁２の断面拡大図を示している具体例である。上シート３に穴を設けて弁本体１７を取付け、弁本体１７には弁蓋１８が被覆している。弁本体１７の平坦な接着面１９に上シート３が接着され、中央部には凹部２０を設け、下方へは複数の脚２１，２１・・を延ばしている。そして、該凹部２０の底にはエアー流通穴１１が設けられ、筒１２の上縁１４は凹部底２２から突出している。
【００２４】
又、凹部底２２から位置決めリング２３を起立しており、弁１０は上縁１４に載置されると共に位置決めリング２３の内側に配置されている。そして、この弁本体１７に弁蓋１８が被覆して取付けられているが、凹部２０には脚２４，２４・・が嵌っている。又、弁蓋１８の中央からは弁押え１３が延び、該弁押え１３は弁１０の中央部に当って押圧している。
【００２５】
そこで、弁１０は図５に示すように皿状に湾曲した形状と成って、上縁１４との間に隙間なく接している。ところが、弁蓋１８の上板部２５にホース先端を当ててエアーを吸込むならば、図３(ｂ)に示しているように弁１０はさらに湾曲して上縁１４との間に隙間１５が発生してエアーが流れる。すなわち、弁１０を境として上側(弁蓋側)と下側(弁本体側)での気圧に差が生じて、気圧の小さな弁蓋側に湾曲して隙間１５が発生する。
【００２６】
図６は弁本体１７を単独で示し、図７は弁蓋１８を単独で表している実施例である。弁本体１７の凹部２０の凹部底２２にはリング状の上縁１４、所々で切欠かれた位置決めリング２３、そして中央にはエアー流通穴１１が設けられ、エアー流通穴１１から流入するエアーは、弁１０が湾曲して出来る隙間１５を通過し、位置決めリング２３に形成している窓２６，２６・・を流れ、弁蓋１８から吸い取られる。
【００２７】
又、弁本体１７の下方には複数の脚２１，２１・・が延びているが、エアー流通穴１１の下端が布団に密着しても該エアーを各脚２１，２１・・の隙間から吸込むことが出来る。そして、弁蓋１８の上板部２５には穴２７，２７・・が貫通して設けられ、上記弁本体１７の位置決めリング２３に設けた窓２６，２６・・から流出したエアーは弁蓋１８の穴２７，２７・・を流れて掃除機のホースに吸い取られる。
【００２８】
図５は図３を具体化した実施例であり、図４を具体化することも出来る。この場合には、弁１０の中央に連結した紐１６にて該弁１０を引っ張って皿状に湾曲した構造である為に、紐１６の先端に係止部材を前以て連結した弁１０を製作する。そこで、弁１０を弁本体１７の位置決めリング２３に嵌めて上縁１４に載置すると同時に、紐１６の下端に連結した係止部材を筒１２の下端に係止することで取付けることが出来る。
【図面の簡単な説明】
【００２９】
【図１】布団圧縮袋の外観図。
【図２】図１のＡ−Ａ断面拡大図。
【図３】本発明の布団圧縮袋の吸気弁の原理図。
【図４】本発明の布団圧縮袋の吸気弁の原理図。
【図５】吸気弁の具体例を示す断面図。
【図６】弁本体の具体例。
【図７】弁蓋の具体例。
【符号の説明】
【００３０】
１  ビニール袋
２  吸気弁
３  上シート
４  下シート
５  辺
６  辺
７  凹シール
８  凸シール
９  凹溝
10  弁
11  エアー流通穴
12  筒
13  弁押え
14  上縁
15  隙間
16  紐
17  弁本体
18  弁蓋
19  接着面
20  凹部
21  脚
22  凹部底
23  位置決めリング
24  脚
25  上板部
26  窓
27  穴
【図１】
2006273370.tif 000003
【図２】
2006273370.tif 000004
【図３】
2006273370.tif 000005
【図４】
2006273370.tif 000006
【図５】
2006273370.tif 000007
【図６】
2006273370.tif 000008
【図７】
2006273370.tif 000009